(57)【要約】【課題】装置の非常停止時に、熱分解炉及びその周りの機器類に残留する熱分解ガスを確実に系外へ排出可能とし、ガス爆発等の発生を阻止して安全性及び経済性の向上を図ることが可能な熱分解装置を提供する。【解決手段】熱分解炉１００において被処理物を加熱して熱分解させ、熱分解ガスを熱分解ガス燃焼炉２５に導入するように構成された熱分解装置において、熱分解ガス燃焼炉２５の上流部位の熱分解ガス通路８から分岐された非常用ガス抜出し通路６を設け、非常用ガス抜出し通路６には導入された抜出しガスを燃焼させる非常用ガス燃焼装置２を設け、さらに非常用ガス抜出し通路６の分岐部７と熱分解ガス燃焼炉２５との間に位置する熱分解ガス通路８には、熱分解ガス燃焼炉２５への熱分解ガスの流通を遮断するガス遮断装置９を設けている。【選択図】図１
2008175505.tif 000002
【特許請求の範囲】
【請求項１】
脱水汚泥を含む被処理物を熱分解炉に導入し、該熱分解炉において前記被処理物を加熱ガスにより加熱して熱分解させ、前記熱分解炉から排出される熱分解ガスを熱分解ガス通路を通して熱分解ガス燃焼炉に導入するように構成された熱分解装置において、前記熱分解ガス燃焼炉の上流部位の前記熱分解ガス通路から分岐された非常用ガス抜出し通路を設けるとともに、該非常用ガス抜出し通路に導入された抜出しガスを燃焼させる非常用ガス燃焼装置を設け、さらに前記非常用ガス抜出し通路の分岐部と前記熱分解ガス燃焼炉との間に位置する前記熱分解ガス通路に、前記熱分解ガス燃焼炉への熱分解ガスの流通を遮断するガス遮断装置を設けたことを特徴とする熱分解装置。
【請求項２】
前記非常用ガス抜出し通路には、前記熱分解ガス通路のガスを吸引して前記非常用ガス燃焼装置に送り込む非常用誘引ファンが設けられていることを特徴とする請求項１に記載の熱分解装置。
【請求項３】
前記熱分解ガス通路には、前記熱分解ガス通路のガスを吸引して前記熱分解ガス燃焼炉に送り込む定常用誘引ファンが設けられていることを特徴とする請求項１または２に記載の熱分解装置。
【請求項４】
前記熱分解炉の上流側には、該熱分解炉内に不活性ガスを供給する不活性ガス供給手段が設けられていることを特徴とする請求項１〜３のいずれかに記載の熱分解装置。
【請求項５】
前記非常用ガス抜出し通路の前記非常用誘引ファンの上流部位には、前記非常用ガス抜出し通路を通った前記抜出しガスを水封する水封タンクが設置され、前記抜出しガスは、前記水封タンクを通ってから前記非常用誘引ファンに吸入させられるように構成されていることを特徴とする請求項２に記載の熱分解装置。
【請求項６】
前記非常用ガス抜出し通路の分岐部と前記熱分解ガス燃焼炉との間に位置する熱分解ガス通路は、複数の並列通路に形成され、該並列通路のそれぞれには、前記ガス遮断装置が設けられていることを特徴とする請求項１〜５のいずれかに記載の熱分解装置。
【発明の詳細な説明】
【技術分野】
【０００１】
本発明は、汚泥の炭化処理設備等に適用され、脱水汚泥を含む被処理物を熱分解炉において加熱ガスにより加熱して熱分解させ、該熱分解炉から排出される熱分解ガスを熱分解ガス通路を通して熱分解ガス燃焼炉に導入するように構成された熱分解装置に関する。
【背景技術】
【０００２】
図３は、脱水汚泥を乾燥機にて加熱、乾燥せしめて熱分解炉（炭化炉）に導入し、該熱分解炉において乾燥した当該脱水汚泥を、熱分解炉燃焼炉からの燃焼加熱ガスで加熱して熱分解させることにより、当該脱水汚泥から炭化物を生成するように構成された汚泥の炭化処理設備の要部系統図である。
図３において、脱水汚泥は乾燥機２０に導入されて、後述する乾燥機燃焼炉（熱分解ガス燃焼炉）２５からの乾燥機循環ガスによって加熱、乾燥せしめられてから、熱分解炉１００に導入されるようになっている。熱分解炉１００に関連して熱分解炉燃焼炉２１が設置されており、この熱分解炉燃焼炉２１においては、後述する乾燥機燃焼炉２５からの乾燥機循環ガスと補助燃料とを燃焼用空気を用いて燃焼させることにより、１１００℃程度の高温燃焼ガスを生成している。
【０００３】
上記熱分解炉１００においては、熱分解炉燃焼炉２１で生成された１１００℃程度の高温燃焼加熱ガスによって乾燥機２０からの乾燥汚泥を加熱して熱分解させることにより、当該乾燥汚泥から炭化物を生成している。この炭化物は、炭化物冷却コンベア２３で搬送されながら降温され、加湿機２４で加湿処理されてから図示しない炭化物ホッパーに収容されることになる。
また、熱分解炉１００において、乾燥汚泥を炭化処理した後の熱分解炉ガス（排ガス）は空気予熱器２２で燃焼用空気を予熱してから、所要の浄化処理を施され、外気中に排出されている。
そして、上記乾燥機燃焼炉２５には、熱分解炉１００からの熱分解ガスが熱分解ガス管８を通して導入されており、該乾燥機燃焼炉２５においては、補助燃料及び空気予熱器２２で予熱された燃焼用空気を用いて当該熱分解ガスを燃焼させ、９５０℃程度の燃焼ガスを生成している。この燃焼ガスは、熱分解炉燃焼炉２１及び乾燥機２０に供給されることになる。
【０００４】
ところで、特許文献１（特開平１１−２４１８１５号公報）には、熱分解炉を備えた廃棄物処理設備が開示されており、この処理設備では、熱分解装置の非常停止時に、緊急遮断弁を閉じて可燃性ガスの存在区間を遮断し、系全体の可燃性ガスを系内に閉じ込め、その後、遮断区間内にある可燃性ガスを不活性ガスと置換しつつ、押し出された可燃性ガスを再燃焼炉で燃焼させるようにしている。
また、特許文献２（特開２００６−３５１１７号公報）には、熱分解炉を備えた廃棄物処理設備が開示されており、この処理設備では、熱分解装置の非常停止時に、誘引ブロアを停止し、熱分解炉から発生し続ける熱分解ガスを安全トーチに導くようにしている。
【０００５】
【特許文献１】特開平１１−２４１８１５号公報
【特許文献２】特開２００６−３５１１７号公報
【発明の開示】
【発明が解決しようとする課題】
【０００６】
しかしながら、図３に示されるような汚泥の炭化処理設備に装備されている熱分解装置にあっては、熱分解装置の非常停止時に、熱分解炉１００から乾燥機燃焼炉２５に接続される熱分解ガス管８の系統内にある熱分解ガスが、十分に排出されずに系内に残留すると、爆発等の発生原因になり易いという問題点を有している。
【０００７】
また、上記特許文献１（特開平１１−２４１８１５号公報）においては、前述のような熱分解装置の非常停止時に、緊急遮断弁を閉じて可燃性ガスの存在区間を遮断し、系全体の可燃性ガスを系内に閉じ込めておいて、その後、遮断区間内にある可燃性ガスを不活性ガスに置換するようにして、前述のような問題を解決するようになっているが、可燃性ガスが閉じ込められた系内において当該可燃性ガスが爆発性を有する混合気をなっていた場合には、静電気や系内の残留熱などの火種を要因をしたガス爆発を誘起する可能性が残されている。
【０００８】
さらに、上記特許文献１においては、不活性ガスボンベと熱分解炉との間のガス通路に、当該不活性ガスを熱分解炉内に押し込む押込みファン（押込みブロア）を設けるとともに、熱分解炉出口側の熱分解ガス通路に非常用ダンパを設けており、非常停止時には、緊急遮断弁を閉じて可燃性ガスの存在区間を遮断してから非常用ダンパを開け、押込みファンによって不活性ガスボンベ〜熱分解炉〜非常用ダンパ間の熱分解ガス管路内の熱分解ガスを不活性ガスに置換しているため、押込みファンによって前記熱分解管路内の微小固形物が熱分解炉及びその前後のシール部に詰まり易くなり、シール不良に起因するガス漏れ発生のおそれがある。
【０００９】
一方、上記特許文献２においては、前述のような非常停止時に誘引ブロアを停止し、熱分解炉と後段機器とを流通させたままの状態で、熱分解炉から発生し続ける熱分解ガスを安全トーチに導くようにしているため、後段機器で空気の吸込みや可燃性ガスのリーク等が発生した場合には、ガス爆発を誘起する可能性が残されている。
【００１０】
本発明は、このような実状に鑑みてなされたものであって、その目的は、装置の非常停止時に、熱分解炉及びその周りの機器類に残留する熱分解ガスを確実に系外へ排出可能とし、ガス爆発等の発生を阻止して安全性及び経済性の向上を図ることが可能な熱分解装置を提供することにある。
【課題を解決するための手段】
【００１１】
上記従来技術の有する課題を解決するために、本発明は、脱水汚泥を含む被処理物を熱分解炉に導入し、該熱分解炉において前記被処理物を加熱ガスにより加熱して熱分解させ、前記熱分解炉から排出される熱分解ガスを熱分解ガス通路を通して熱分解ガス燃焼炉に導入するように構成された熱分解装置において、前記熱分解ガス燃焼炉の上流部位の前記熱分解ガス通路から分岐された非常用ガス抜出し通路を設けるとともに、該非常用ガス抜出し通路に導入された抜出しガスを燃焼させる非常用ガス燃焼装置を設け、さらに前記非常用ガス抜出し通路の分岐部と前記熱分解ガス燃焼炉との間に位置する前記熱分解ガス通路に、前記熱分解ガス燃焼炉への熱分解ガスの流通を遮断するガス遮断装置を設けている（請求項１）。
【００１２】
この発明において、具体的には次のように構成するのが好ましい。
（１）前記非常用ガス抜出し通路には、前記熱分解ガス通路のガスを吸引して前記非常用ガス燃焼装置に送り込む非常用誘引ファンが設けられている（請求項２）。
（２）前記熱分解ガス通路には、前記熱分解ガス通路のガスを吸引して前記熱分解ガス燃焼炉に送り込む定常用誘引ファンが設けられている（請求項３）。
（３）前記熱分解炉の上流側には、該熱分解炉内に不活性ガスを供給する不活性ガス供給手段が設けられている（請求項４）。
（４）前記非常用ガス抜出し通路の前記非常用誘引ファンの上流部位には、前記非常用ガス抜出し通路を通った前記抜出しガスを水封する水封タンクが設置され、前記抜出しガスは、前記水封タンクを通ってから前記非常用誘引ファンに吸入させられるように構成されている（請求項５）。
【００１３】
また、本発明において、前記非常用ガス抜出し通路の分岐部と熱分解ガス燃焼炉との間に位置する熱分解ガス通路は、複数の並列通路に形成され、該並列通路のそれぞれには、前記ガス遮断装置が設けられている（請求項６）。
【発明の効果】
【００１４】
本発明によれば、熱分解ガス燃焼炉の上流部位の熱分解ガス通路から分岐された非常用ガス抜出し通路、及び該非常用ガス抜出し通路に導入された抜出しガスを燃焼させる非常用ガス燃焼装置を設けるとともに、非常用ガス抜出し通路の分岐部と熱分解ガス燃焼炉との間に位置する熱分解ガス通路に、熱分解ガス燃焼炉への熱分解ガスの流通を遮断するガス遮断装置を設けたので（請求項１）、熱分解炉の故障等の非常停止時においては、非常停止と同時に前記ガス遮断装置を作動させて熱分解ガス燃焼炉への熱分解ガスの流通を遮断する一方、前記熱分解ガス通路から分岐された非常用ガス抜出し通路を水封タンクの水を排出することなどにより連通させて、熱分解炉内及び該熱分解炉に通ずる通路内の熱分解ガスを非常用ガス抜出し通路を通して非常用ガス燃焼装置に導入し、当該非常用ガス燃焼装置で燃焼処理することが可能となる。
【００１５】
したがって本発明によれば、非常停止時において、熱分解炉内及び該熱分解炉に通ずる通路内の熱分解ガスを残存させることなく、かつ熱分解ガス燃焼炉側へ漏洩させることなく、完全に非常用ガス抜出し通路に導入して非常用ガス燃焼装置で燃焼処理することができ、熱分解炉内及び該熱分解炉に通ずる通路への熱分解ガスの閉じ込め及びこれによるガス爆発誘起の可能性が皆無となり、非常停止時におけるプラント全体の安全性を保持できるとともに、経済性の向上を図ることができる。
【００１６】
また、非常用ガス抜出し通路に非常用誘引ファンを設け（請求項２）、あるいは熱分解ガス通路に定常用誘引ファンを設ける（請求項３）ように構成すれば、前記非常停止時において、前記非常用誘引ファンあるいは前記定常用誘引ファンによって熱分解炉内及び該熱分解炉に通ずる通路内の熱分解ガスを吸引して非常用ガス燃焼装置側に送り出せることになるので、上記特許文献１の技術のような、プラントの非常停止時に不活性ガスを押込みファンによって熱分解炉内及び周辺機器内に押し込み置換することに伴って、熱分解通路内の微小固形物が熱分解炉内及びその前後のシール部に詰まるということが無くなり、これによるシール不良及びこれに起因するガス漏れの発生を回避できる。
【００１７】
さらに、不活性ガス供給手段によって、熱分解炉の上流側から該熱分解炉内に不活性ガスを供給するように構成すれば（請求項４）、熱分解炉の上流側から不活性ガスを注入して、熱分解炉内及び該熱分解炉の下流側の熱分解ガス通路全体を当該不活性ガスに置換することが可能となる。したがって、不活性ガスを熱分解ガスの通路全体に亘って万遍なく、かつ効率良く分布させることができ、結果的には不活性ガスの使用量が少なくて済む。
【００１８】
また、非常用ガス抜出し通路の非常用誘引ファンの上流部位に水封タンクを設置して、非常用ガス抜出し通路を通った抜出しガスが水封タンクに通ってから非常用誘引ファンに吸入されるようにすれば（請求項５）、定常運転時において、水封タンクの水により非常用ガス抜出し通路を確実に遮断できる一方、非常停止時において、水封タンクの水を排出することにより非常用ガス抜出し通路を開放して非常用ガス燃焼装置と確実に連通させることができ、熱分解ガス中のタール分等によって非常用ガス抜出し通路が開放できなくなるということが起こらず、当該抜出しガスを非常用誘引ファンに効率的に吸入させることができる。
【００１９】
そしてまた本発明において、非常用ガス抜出し通路の分岐部と熱分解ガス燃焼炉との間に位置する熱分解ガス通路を複数の並列通路に形成し、該並列通路のそれぞれに前記ガス遮断装置を設けるように構成すれば（請求項６）、通常運転時に、熱分解ガス中のタール分等によって１つのガス遮断装置が開放できなくなった場合でも、これに代えて健全な側のガス遮断装置を開放して使用することができ、プラントの稼動効率を高く維持できる。
【発明を実施するための最良の形態】
【００２０】
以下、図面を参照して本発明の実施形態について詳細に説明する。
【００２１】
［第1実施形態］
図１は、本発明の第1実施形態に係る熱分解装置を備えた汚泥の炭化処理設備の要部系統図である。
図1で示される炭化処理設備において、脱水汚泥は、ケーキ定量フィーダ２７から乾燥機２０に導入されて、後述する乾燥機燃焼炉（熱分解ガス燃焼炉）２５からの乾燥機循環ガスによって加熱、乾燥せしめられてから、乾燥汚泥定量フィーダ２８及び乾燥汚泥搬送路３０を通して熱分解炉１００に導入されるようになっている。この熱分解炉１００に関連して熱分解炉燃焼炉２１が設置されており、該熱分解炉燃焼炉２１においては、後述する乾燥機燃焼炉２５からの乾燥機循環ガスと補助燃料とを燃焼用空気を用いて燃焼させることにより、１１００℃程度の高温燃焼ガスが生成されている。
【００２２】
上記熱分解炉１００は、熱分解炉燃焼炉２１で生成された１１００℃程度の高温燃焼加熱ガスによって乾燥機２０からの乾燥汚泥を加熱して熱分解させることにより、当該乾燥汚泥から炭化物を生成する炉である。この炭化物は、炭化物冷却コンベア２３で搬送されながら降温され、加湿機２４で加湿処理されてから図示しない炭化物ホッパーに収容されることになる。
また、熱分解炉１００において、乾燥汚泥を炭化処理した後の熱分解炉ガス（排ガス）は、空気予熱器２２で燃焼用空気を予熱してから、所要の浄化処理を施され、外気中に排出されている。
さらに、上記乾燥汚泥搬送路３０の熱分解炉１００の上流側部位には、当該熱分解炉１００内に不活性ガスを供給する不活性ガス供給手段１０が設けられている。
【００２３】
上記乾燥機燃焼炉２５には、熱分解炉１００からの熱分解ガスが集塵機２６及び熱分解ガス管（熱分解ガス通路）８を通して導入されており、該乾燥機燃焼炉２５においては、補助燃料及び空気予熱器２２で予熱され空気管３１を通って導入された燃焼用空気を用いて熱分解ガスを燃焼させ、９５０℃程度の燃焼加熱ガスを生成している。この燃焼加熱ガスは、燃焼ガス管３２を介して熱分解炉燃焼炉２１及び乾燥機２０に供給されるようになっている。
なお、上記乾燥機２０において、ケーキ定量フィーダ２７からの脱水汚泥を加熱、乾燥させた後の乾燥機循環ガスは、乾燥機汚泥集塵機２９を通って循環路に入ることになる。
【００２４】
上記熱分解ガス管８の管路途中には、定常用誘引ファン１が設けられており、プラントの定常運転時には、当該定常用誘引ファン１によって熱分解炉１００側から熱分解ガスを吸引して乾燥機燃焼炉（熱分解ガス燃焼炉）２５に送り込むようになっている。
また、熱分解ガス管８の定常用誘引ファン１の下流側には、乾燥機燃焼炉２５の上流部位の熱分解ガス管８から分岐した（分岐部を符号７で示されている）非常用ガス抜出し管（非常用ガス抜出し通路）６が設けられており、この非常用ガス抜出し管６は、該非常用ガス抜出し管６を通して導入された抜出しガスを燃焼させる非常用ガス燃焼炉２に接続されている。
【００２５】
そして、上記非常用ガス抜出し管６の管路途中には、分岐部７から下流側へ向かって順に、当該非常用ガス抜出し管６に入った抜出しガスを水封する水封タンク４と、熱分解ガス管８内の熱分解ガスを吸引して非常用ガス燃焼炉２に送り込む非常用誘引ファン３とが設けられている。
水封タンク４は、開閉手段としての機能を有しており、水を貯めた状態では、非常用ガス抜出し管６を閉じ、水を排出した状態では、非常用ガス抜出し管６を開放して非常用誘引ファン３及び非常用ガス燃焼炉２と連通するように構成されている。そのため、水封タンク４の底部には、貯留水を排出する排出管５と、該排出管５を開閉する開閉弁５ａとが設けられている。
【００２６】
一方、上記非常用ガス抜出し管６の分岐部７と上記乾燥機燃焼炉２５との間に位置する熱分解ガス管８には、乾燥機燃焼炉２５への熱分解ガスの流通を遮断する遮断ダンパ（ガス遮断装置）９が設けられている。
【００２７】
このように構成された汚泥の炭化処理設備において、停電などで起こる熱分解装置の非常停止時には、通常運転時には閉じられている前記非常用ガス抜出し管６に設けられた水封タンク４の開閉弁５ａを開き、水封タンク４内の貯留水を排出管５より排出させると、熱分解炉１００内から熱分解ガス管８への熱分解ガス通路に残留している熱分解ガスが、非常用ガス抜出し管６に導入され、水封タンク４を通ってから非常用誘引ファン３に吸引され、非常用誘引ファン３から非常用ガス燃焼炉６に送り込まれて燃焼処理されることになる。
【００２８】
以上、本発明の第1実施形態によれば、乾燥機燃焼炉（熱分解ガス燃焼炉）２５の上流部位の熱分解ガス管８から分岐された非常用ガス抜出し管６、及び該非常用ガス抜出し管６から導入されて抜出された熱分解ガスを燃焼させる非常用ガス燃焼炉２を設けるとともに、非常用ガス抜出し管６の分岐部７と乾燥機燃焼炉２５との間に位置する熱分解ガス管８には、乾燥機燃焼炉２５への熱分解ガスの流通を遮断する遮断ダンパ９を設けたので、熱分解炉１００の故障や停電等の非常停止時においては、非常停止と同時に遮断ダンパ９を作動させて乾燥機燃焼炉２５への熱分解ガスの流通を遮断するとともに、熱分解ガス管８から分岐された非常用ガス抜出し管６を、開閉弁５の開弁による水封タンク４の開放で連通させて、熱分解炉１００内及び該熱分解炉１００に通ずる通路内の熱分解ガスを、非常用ガス抜出し管６を通して非常用ガス燃焼炉２に導入し、当該非常用ガス燃焼炉２で燃焼処理することが可能となる。
【００２９】
したがって、この第1実施形態によれば、非常停止時において、熱分解炉１００内及び該熱分解炉１００に通ずる通路内の熱分解ガスを残存させることなく、かつ乾燥機燃焼炉２５側へ漏洩させることなく、完全に非常用ガス抜出し管６に導入して非常用ガス燃焼炉２ですべて燃焼処理することができ、熱分解炉１００内及び該熱分解炉１００に通ずる通路への熱分解ガスの閉じ込め及びこれによるガス爆発誘起の可能性が皆無となり、非常停止時におけるプラント全体の安全性を確保して保持することができる。
【００３０】
また、本発明の第１実施形態では、非常用ガス抜出し管６に非常用誘引ファン３を設け、あるいは熱分解ガス管８に定常用誘引ファン１を設けることにより、上記非常停止時において、非常用誘引ファン３あるいは定常用誘引ファン１によって熱分解炉１００内及び該熱分解炉１００に通ずる通路内の熱分解ガスを吸引して非常用ガス燃焼炉２側に送り出すので、従来技術のような、プラントの非常停止時に不活性ガスを押込みファンによって熱分解炉内及び周辺機器内に押し込み置換するために、熱分解通路内の微小固形物が熱分解炉内及びその前後のシール部に詰まることによるシール不良及びこれに起因するガス漏れの発生を回避することができる。
【００３１】
しかも、上記不活性ガス供給手段１０によって、熱分解炉１００の上流側から該熱分解炉１００内に不活性ガスを供給するように構成し、熱分解炉１００の上流側から不活性ガスを注入して、熱分解炉１００内及び該熱分解炉１００の下流側の熱分解ガス管８内の全体を不活性ガスに置換しているので、不活性ガスを熱分解ガスの通路全体に亘って万遍なく、かつ効率良く分布させることができ、結果的には不活性ガスの使用量が少なくて済む。
また、非常用ガス抜出し管６の非常用誘引ファン３の上流部位に水封タンク４を設置して、非常用ガス抜出し管６を通った抜出しガスを、水封タンク４に通すようにしているので、熱分解ガス中のタール分等で水封タンク４が開放できなくなるということは起こらず、非常用誘引ファン３に効率的に吸入させることができる。
【００３２】
［第２実施形態］
図２は本発明の第２実施形態に係る乾燥機燃焼炉近傍の要部系統図である。
この第２実施形態においては、非常用ガス抜出管６の分岐部７と乾燥機燃焼炉２５との間に位置する熱分解ガス管８が複数の並列通路８ａ，８ｂに形成されており、該並列通路８ａ，８ｂのそれぞれには、遮断ダンパ（ガス遮断装置）９ａ，９ｂが設けられている。
かかる第２実施形態によれば、通常運転時に、熱分解ガス中のタール分等によって１つの遮断ダンパ（例えば９ａ）が開放できなくなった場合でも、これに代えて健全な側の遮断ダンパ（例えば９ｂ）を開放して使用することが可能であり、プラントの稼動効率を高く維持できる。
【００３３】
以上、本発明の実施の形態につき述べたが、本発明は既述の実施の形態に限定されるものではなく、本発明の技術的思想に基づいて各種の変形及び変更が可能である。
【図面の簡単な説明】
【００３４】
【図１】本発明の第1実施形態に係る熱分解装置を備えた汚泥の炭化処理設備を示す要部系統図である。
【図２】本発明の第２実施形態に係る乾燥機燃焼炉近傍を示す要部系統図である。
【図３】従来技術に係る炭化処理設備を示す要部系統図である。
【符号の説明】
【００３５】
１  定常用誘引ファン
２  非常用ガス燃焼炉
３  非常用誘引ファン
４  水封タンク
５  排出管
５ａ  開閉弁
６  非常用ガス抜出し管
７  分岐部
８  熱分解ガス管
８ａ，８ｂ  並列通路
９，９ａ，９ｂ  遮断ダンパ（ガス遮断装置）
１０  不活性ガス供給手段
２０  乾燥機
２１  熱分解炉燃焼炉
２５  乾燥機燃焼炉（熱分解ガス燃焼炉）
１００  熱分解炉
【図１】
2008175505.tif 000003
【図２】
2008175505.tif 000004
【図３】
2008175505.tif 000005